(57)【要約】【課題】濾過モジュールを濾過槽内に均一に配置することができて、濾過の際の負荷や洗浄効果の均一化を図るとともに、濾過槽底部に堆積した汚泥を撹拌したり分散させたりすることなく、確実に掻き寄せて排出することが可能な濾過装置を提供する。【解決手段】原水Ｗが導入される濾過槽１内に濾過モジュール５を配設するとともに、この濾過モジュール５の下方には濾過モジュール５を散気して洗浄する散気手段６を配設し、濾過槽１を平面視に矩形状に形成して、濾過槽１の底部にはこの矩形の辺に沿った移動方向Ｆに移動可能とされて濾過槽１底部に堆積した汚泥Ｍを掻き寄せる汚泥掻寄手段７を備える。【選択図】        図１
2004202373.tif 000002
【特許請求の範囲】
【請求項１】
原水が導入される濾過槽内に濾過モジュールが配設されるとともに、この濾過モジュールの下方には該濾過モジュールを散気して洗浄する散気手段が配設され、上記濾過槽は平面視に矩形状に形成されていて、該濾過槽の底部には上記矩形の辺に沿った移動方向に移動可能とされてこの濾過槽底部に堆積した汚泥を掻き寄せる汚泥掻寄手段が備えられていることを特徴とする濾過装置。
【請求項２】
上記汚泥掻寄手段は上記移動方向に往復移動可能とされていて、この往復の一方向に移動するときに上記汚泥を掻寄可能とされていることを特徴とする請求項１に記載の濾過装置。
【請求項３】
上記散気手段は、上記移動方向に沿って複数の区画に区分されて、上記汚泥掻寄手段が移動して汚泥を掻き寄せた後の上方の区画ごとに上記濾過モジュールを散気して洗浄可能とされていることを特徴とする請求項１または請求項２に記載の濾過装置。
【請求項４】
上記原水は、上記濾過槽の壁面に設けられた導入孔から該濾過槽内に導入可能とされていることを特徴とする請求項１ないし請求項３のいずれかに記載の濾過装置。
【請求項５】
上記濾過モジュールには、該濾過モジュールによって濾過された濾過水を吸引して排出する吸引ポンプが接続されていることを特徴とする請求項１ないし請求項４のいずれかに記載の濾過装置。
【請求項６】
上記濾過槽には、上記原水に凝集剤を混和する凝集槽と、この凝集槽において凝集剤と混和させられた原水が導入されるフロック槽とが付設されており、このフロック槽から上記濾過槽に上記原水が導入されることを特徴とする請求項１ないし請求項５のいずれかに記載の濾過装置。
【発明の詳細な説明】
【０００１】
【発明の属する技術分野】
本発明は、浄水場等において原水を濾過処理するための濾過装置に関するものである。
【０００２】
【従来の技術】
この種の濾過装置としては、例えば特許文献１に、濾過槽内の上部に膜モジュールが配設されるとともに、濾過槽の底部には汚泥掻寄機が備えられた浸漬型の膜濾過装置が記載されている。すなわち、この特許文献１に記載された濾過装置においては、円筒形の濾過槽の上部中心に筒状の仕切が取り付けられて円柱状の区画とドーナツ状の区画とに分割され、円柱状の区画に原水が導入されてその下部から濾過槽内に流入するとともに、ドーナツ状の区画には中空糸膜を組み込んだ膜モジュールが配設され、またこの膜モジュールの下方には散気管が同心円状に複数配置されている。一方、濾過槽の底部には、濾過槽の底面に近接して配設されたレーキとこのレーキが取り付けられた回転軸とを有する上記汚泥掻寄機が備えられており、レーキに取り付けられた多数の寄せ板によって汚泥が掻き寄せられるようになっている。
【０００３】
【特許文献１】
特開平１０−２３０２６１号公報（第３頁、図１）
【０００４】
【発明が解決しようとする課題】
ところが、上記特許文献１記載の濾過装置にあっては、まず濾過槽が円筒状であるのに対し、中空糸膜を組み込んだ膜モジュールは一般にこの中空糸膜がスクリーン状に張られたエレメントを多数積層した直方体状をなしており、そのような膜モジュールを円筒状の濾過槽のしかも上記ドーナツ状の区画内に配設しようとしても、このドーナツ状の区画の内周側や外周側に膜モジュールが配設されない部分ができてしまったり、またたとえ個々の上記エレメントを放射状に配設したとしても、濾過槽の外周側では隣接するエレメント間の間隔が内周側よりも大きくなったりして、膜モジュールのエレメントの配置が不均一となることが避けられない。従って、そのような濾過装置では、膜モジュール同士の間や、個々のエレメントにおいても部分的に、濾過の際の負荷が不均一となり、膜モジュールが配設されない部分に近接したエレメントや、エレメントを放射状に配置した膜モジュールの外周側のエレメントでは、早期に濾過抵抗が大きくなって濾過効率の低下を招く結果となる。また、こうして濾過抵抗が増大したときに上記散気管から空気を吹き込んで膜モジュールをエアスクラビングする場合でも、上述のように膜モジュールやエレメントの配置が不均一であるのに対して散気管は同心円状に配設されており、従ってエアスクラビングによる中空糸膜の洗浄効果も不均一となって、濾過効率を元通りに復元することができなくなるおそれもある。
【０００５】
一方、上述のように回転軸に取り付けられたレーキによって汚泥を掻き寄せる上記汚泥掻寄機では、回転軸から離れたレーキの外周端側、すなわち濾過槽の外周側は、レーキの回転径が大きいためにより多くの汚泥が掻き寄せられるのに対し、上記従来の濾過装置では、濾過槽の底部が中心に向かって下方に傾斜した摺鉢状とされてその中心に排泥口が設けられており、上記汚泥掻寄機によって掻き寄せられた汚泥は、この濾過槽底部の傾斜によって中心側に集められて排泥されるだけであるので、特に濾過槽外周側の汚泥は排出され難く、従ってこの濾過槽底部の外周側では掻き寄せられた多くの汚泥が排出されずにレーキとともに回転させられて撹拌状態となり、濾過効率の一層の低下を招くおそれがある。しかも、濾過槽の上部中心側の上記円柱状の区画に導入された原水は、その下部から下向きに濾過槽内に流入するため、これによっても汚泥が撹拌されて濾過槽内に分散してしまうおそれがあり、さらには上記散気管から空気を吹き込んでエアスクラビングにより膜モジュールを洗浄する際にも、この空気の吹き込みによって濾過槽底部に堆積した汚泥が巻き上げられてしまうおそれもあった。
【０００６】
本発明は、このような背景の下になされたもので、上述の中空糸膜を組み込んだエレメントよりなる膜モジュールのような濾過モジュールを濾過槽内に均一に配置することができて、濾過の際の負荷や洗浄効果の均一化を図るとともに、濾過槽底部に堆積した汚泥を撹拌したり分散させたりすることなく、また望ましくは濾過モジュールの洗浄の際にも汚泥を巻き上げたりすることなく、確実に掻き寄せて排出することが可能な濾過装置を提供することを目的としている。
【０００７】
【課題を解決するための手段】
上記課題を解決して、このような目的を達成するために、本発明は、原水が導入される濾過槽内に濾過モジュールを配設するとともに、この濾過モジュールの下方には該濾過モジュールを散気して洗浄する散気手段を配設し、上記濾過槽を平面視に矩形状に形成して、該濾過槽の底部には上記矩形の辺に沿った移動方向に移動可能とされてこの濾過槽底部に堆積した汚泥を掻き寄せる汚泥掻寄手段を備えたことを特徴とする。従って、このような濾過装置においては、まず濾過槽が平面視に矩形状をなしているため、上述のような直方体状をなす膜モジュール等の濾過モジュールを、モジュール同士やそのエレメント同士の間に極端な広狭の間隔をあけることなく均一に配設することが可能となり、このため個々のモジュールやエレメントで濾過の際の負荷や散気手段による洗浄効果が不均一となるのを防ぐことができる。そして、その一方で、こうして濾過槽が平面視矩形状とされるのに伴い、汚泥は濾過槽底部に均一に堆積することとなるので、汚泥掻寄手段をこの矩形の辺に沿った移動方向に移動可能なものとすることにより、こうして堆積した汚泥をこの汚泥掻寄手段によって満遍なく均一に掻き寄せて確実に排出することが可能となる。なお、上記濾過モジュールは、特許文献１に記載のような中空糸膜をスクリーン状に張ったエレメントや平膜状のものを積層したものでもよく、またセラミック膜モジュールなどであってもよい。
【０００８】
ここで、このように濾過槽がなす矩形の辺に沿った移動方向に汚泥掻寄手段を移動させて汚泥を掻き寄せる場合、該汚泥掻寄手段は上記移動方向に往復移動可能とされるのが効率的であるが、このとき該汚泥掻寄手段を、この往復の一方向に移動するときのみに汚泥を掻寄可能とすれば、この一方向側の濾過槽の端部に排泥口を設けることによって円滑な汚泥の排出を図ることができる。そして、さらに、上記散気手段を、上記移動方向に沿って複数の区画に区分して、上記汚泥掻寄手段が移動して汚泥を掻き寄せた後の上方の区画ごとに上記濾過モジュールを散気して洗浄可能とすることにより、散気の際のエアスクラビングによって濾過槽底部に堆積した汚泥が巻き上げられたりするのを防ぐことができる。また、上記原水は、上記濾過槽の壁面に設けられた導入孔から該濾過槽内に導入可能とすることにより、原水を横向きに濾過槽内に導入することができるので、この原水導入の際の汚泥の撹拌や分散を防ぐことができる。さらにまた、上記濾過モジュールに、該濾過モジュールによって濾過された濾過水を吸引して排出する吸引ポンプを接続すれば、例えば重力式やサイフォン式によって原水を濾過して濾過水を排出したりするのに比べ、濾過槽に保持される原水の水位等によって濾過効率や濾過水の排出性が変動したりするのを防ぐこともできる。さらに、上記濾過槽に、上記原水に凝集剤を混和する凝集槽と、この凝集槽において凝集剤と混和させられた原水が導入されるフロック槽とを付設して、このフロック槽から上記濾過槽に上記原水を導入すれば、このフロック槽で沈殿しやすいフロックが十分形成されるようにして、濾過槽において汚泥を速やかに原水から沈降分離させることができる。
【０００９】
【発明の実施の形態】
図１は、本発明の一実施形態を示すものである。本実施形態において濾過槽１は、図１において左右方向に長手方向を有する平面視に長方形の矩形状をなすようにされて、この長方形状のまま底部側に向かうようにされたプール状をなし、この濾過槽１の長手方向一端側（図１において左側）には原水Ｗが供給される凝集槽２とフロック槽３とが隣接して付設されるとともに、他端側（図１において右側）には濾過水槽４が設けられている。そして、この濾過槽１内には、その上部に濾過モジュール５が配設されるとともに、この濾過モジュール５の下方には該濾過モジュール５を散気して洗浄する散気手段６が配設され、さらに濾過槽１の底部には汚泥掻寄手段７が備えられていて、この汚泥掻寄手段７は、濾過槽１が平面視になす上記矩形の辺に沿った方向、特に本実施形態では上記長方形の長辺方向（上記長手方向、すなわち図１において左右方向）を移動方向Ｆとして該移動方向Ｆに移動可能とされている。
【００１０】
ここで、上記凝集槽２とフロック槽３とは、その底部から垂直に延びる仕切壁８を介して隣接させられていて、凝集槽２の底部には原水流入管９が接続されて原水Ｗが供給されるとともに、この凝集槽２内には凝集剤注入管１０が挿入されて凝集剤Ｌが供給可能とされており、さらに該凝集槽２にはフラッシュミキサ１１が備えられていて、上記原水流入管９からこの凝集槽２内に供給された原水Ｗは、このフラッシュミキサ１１によって急速撹拌されて凝集剤注入管１０から供給された凝集剤Ｌと混和させられ、上記仕切壁８の上部から溢流することによりフロック槽３に流れ込んで導入される。さらに、このフロック槽３内には水平な回転軸線回りに回転可能とされたフロキュレータ１２が備えられていて、凝集槽２において凝集剤Ｌと混合させられてフロック槽３内に流れ込んだ原水Ｗは、沈殿しやすいフロックが十分形成されるようにこのフロキュレータ１２によって緩速撹拌させられ、濾過槽１に供給される。
【００１１】
この濾過槽１と上記フロック槽３とは、濾過槽１の上記長手方向一端側の壁面１３を介して接しており、この壁面１３には垂直、水平方向に格子状あるいは千鳥状に多数の導入孔１４が穿設されていて、フロック槽３に供給された原水Ｗはこれらの導入孔１４から該濾過槽１内に導入される。ここで、上記凝集槽２からフロック槽３を介してこの濾過槽１に供給される原水Ｗの水位は、上記仕切壁８の高さよりも高く、かつ多数穿設された上記導入孔１４のうち最も上方の導入孔１４よりも高くなるようにされ、この濾過槽１に原水Ｗが保持された状態では、フロック槽３から原水Ｗがオーバーフローしたりすることなく濾過槽１内にその上記長手方向一端側から供給されるようになされている。また、上記導入孔１４のうち最も下方の導入孔１４は、上記汚泥掻寄手段７が備えられる濾過槽１の底部よりも十分高い位置に形成されている。さらに、濾過槽１は、側面視においても図１に示すように上記長手方向に長辺を有する上部が開放された概略長方形状とされており、ただしその上記一端側の底部は一段低められていて排泥ピット１５とされ、この排泥ピット１５には排泥弁１６を介して汚泥Ｍを排出する排泥管１８が接続されている。
【００１２】
このような濾過槽１に、上記濾過モジュール５は、該濾過槽１内に上述のように原水Ｗが保持された状態において、図１に示すようにこの原水Ｗ中に浸漬されるように配設されている。ここで、該濾過モジュール５は、例えば中空糸膜をスクリーン状に張ったエレメントや平膜状の分離膜を有するエレメントを多数積層したり、あるいは管状のセラミック膜エレメントを多数本束ねたりして、図示されないヘッダでまとめてモジュール化したものであって、個々の濾過モジュール５は概略横長の直方体状をなし、本実施形態では同形同大のこのような濾過モジュール５が複数（図１では６つ）、それぞれの長手方向を濾過槽１が平面視になす上記長方形の短辺方向に延ばすようにして水平に、かつ互いにはこの長方形の長辺方向に向けて並列に並ぶようにして配設されている。なお、この長辺方向に隣接する濾過モジュール５同士は、互いに密着させられていても、あるいは適当な間隔をあけるようにしてもよい。また、各濾過モジュール５の上記ヘッダは、膜濾過水管１９を介して吸引ポンプ２０に接続されており、濾過モジュール５によって原水Ｗから濾過された濾過水Ｔは、この吸引ポンプ２０により膜濾過水管１９を通して上記濾過水槽４に排出される。
【００１３】
さらに、この濾過モジュール５の下方に配設される上記散気手段６は、例えば濾過モジュール５の下に配設された多数の膜洗浄用空気ノズルを有する洗浄管あるいはパネルが、膜洗浄用空気管２１を介して図示されないブロア等の空気供給源に接続された構成とされており、この空気供給源から供給された圧縮空気Ａが膜洗浄用空気管２１を通して上記膜洗浄用空気ノズルから噴出させられて、上方に位置する濾過モジュール５に散気させられ、エアスクラビングにより洗浄するようになされている。なお、この散気手段６による洗浄の際には、吸引ポンプ２０による濾過水Ｔの吸引、排出を停止し、上記膜濾過水管１９を通して濾過モジュール５にも空気を供給することにより逆洗をかけるようにしてもよい。
【００１４】
さらに、この散気手段６は、図示は略するが上記洗浄管あるいはパネルが複数の上記濾過モジュール５の下ごとに分割されて配設されており、すなわち上記汚泥掻寄手段７の移動方向Ｆに沿って複数の区画に区分されていて、これらの区画に区分された散気手段６は、各散気手段６ごとに個別に空気を散気してその直上の濾過モジュール５をエアスクラビングして洗浄可能とされている。なお、このように散気手段６を上記移動方向Ｆに沿って各濾過モジュール５に合わせた複数の区画に区分して各区画毎に散気による洗浄を可能とするには、上記洗浄管あるいはパネルを濾過モジュール５の長手方向が延びる上記濾過槽１の短辺方向に延びるようにして各濾過モジュール５の下方に配設し、これらの洗浄管あるいはパネルをそれぞれに独立して上記膜洗浄用空気管２１に接続して空気を供給可能とすればよい。このとき、散気手段６が洗浄管である場合には、個々の濾過モジュール５の下方に複数の洗浄管を平行に配設してヘッダ管で連結した構成としてもよく、また散気手段６が洗浄パネルである場合には、隣接する濾過モジュール５の下方に配設される洗浄パネル同士の間に間隔があけられるのが望ましい。
【００１５】
一方、この散気手段６よりも下方の上記濾過槽１の底部には、該濾過槽１が平面視になす長方形の一対の長辺に沿って上記移動方向Ｆに平行にそれぞれレール２２が敷設されており、このレール２２に沿って本実施形態における上記汚泥掻寄手段７としての水中台車２３が上記移動方向Ｆに移動可能に配設されている。ここで、この水中台車２３は、その両側部に上記レール２２上に載置される車輪２４を備えるとともに、その下部にはレール２２に干渉しないように濾過槽１の短辺方向に亙って延びるスクレーパ２５が取り付けられている一方、水中台車２３の走行経路の直上には濾過槽１の長手方向（移動方向Ｆ）に亙ってワイヤロープ２６が張り渡されて該水中台車２３に連結されており、このワイヤロープ２６は濾過槽１底部の長手方向両端に取り付けられた滑車２７に巻回された上で、濾過槽１の上記一端部側のスラブ上に設けられたロープ巻き取りドラム２８に巻き掛けられていて、このロープ巻き取りドラム２８をドラム駆動装置２９によって回転駆動することにより、濾過槽１底部の長手方向に渡されたワイヤロープ２６が移動方向Ｆに進退し、これに伴い本実施形態では水中台車２２が上記移動方向Ｆに往復移動可能とされている。なお、濾過槽１が平面視になす長方形の短辺の長さが長い場合には、この短辺方向に複数対のレール２２を敷設して水中台車２３を複数台設けるようにしてもよい。
【００１６】
さらに、水中台車２３は、上記ワイヤロープ２６の移動方向Ｆへの進退に伴う往復移動に上記スクレーパ２５が連動するように該ワイヤロープ２６に連結されており、すなわちワイヤロープ２６の水中台車２３と連結された部分が移動方向Ｆにおいて濾過槽１の上記長手方向一端側に前進し、これに伴い水中台車２３が移動方向Ｆのうちこの長手方向一端の排泥ピット１５側に向かう往復の一方向に移動するときには、図１に示すようにスクレーパ２５が水中台車２３から下向きに降ろされて濾過槽１の底面に摺接あるいは近接した状態とされ、該底面に堆積した汚泥Ｍを水中台車２３の上記一方向への移動によって掻き寄せて排泥ピット１５に落とし込むようになされている。また、これとは逆に、ワイヤロープ２６の水中台車２３との連結部分が長手方向他端側に後退して、水中台車２３が移動方向Ｆのうち上記一方向とは反対の往復の他方向に移動するときには、スクレーパ２５は濾過槽１の底面から引き上げられて堆積した汚泥Ｍを巻き上げたりしないようになされている。
【００１７】
さらにまた、この汚泥掻寄手段７には、上記移動方向Ｆにおける該汚泥掻寄手段７（水中台車２３）の位置を検出する図示されない検出手段が備えられている。この検出手段は、上述のように移動方向Ｆに区分された散気手段６の上記複数の区画のいずれに汚泥掻寄手段７が位置しているかを少なくとも検出可能とされたものであって、例えば水中台車２３の走行経路に隣接して移動方向Ｆにおける上記区画の境界の位置にスイッチを設け、水中台車２３が移動する際にこのスイッチに接触してオン−オフすることによりその位置を検出するものであってもよく、また上記ロープ巻き取りドラム２８によるワイヤロープ２６の巻き取り量や回転数によって水中台車２３の位置を検出したりするものであってもよい。そして、本実施形態では、上記散気手段６による濾過モジュール５の洗浄の際には、これに先立ってまず汚泥掻寄手段７が濾過槽１の上記長手方向他端側から一端側に向けて移動して汚泥Ｍを掻き寄せるとともに、この汚泥掻寄手段７の位置が上記検出手段によって検出されて、該汚泥掻寄手段７が移動して汚泥Ｍを掻き寄せた後の上方の区画ごとに、上記散気手段６が散気して個々の濾過モジュール５を洗浄可能とされている。
【００１８】
従って、このように構成された濾過装置においては、まず濾過槽１が平面視に長方形の矩形状に形成されているので、一般に直方体状とされる濾過モジュール５をその辺の向きが平面視に上記矩形の辺と平行になるようにすることにより、個々の濾過モジュール５同士の間や該濾過モジュール５を構成するエレメント同士の間の間隔に極端な広狭を生じさせることなく、濾過槽１内に均一に、しかも比較的密に配設することが可能となる。このため、濾過槽１に導入された原水Ｗの濾過の際に各濾過モジュール５に作用する負荷にばらつきが生じて、特定の濾過モジュール５において抵抗が増大することにより濾過効率の低減を招いたり、あるいは上記散気手段６からの散気による濾過モジュール５の洗浄の際にも洗浄効果にばらつきを生じて、特定の濾過モジュール５で十分な洗浄がなされなくなったりするような事態を防止することができ、長期に亙って高い濾過能力を維持することが可能となる。しかも、濾過槽１の容積に対して濾過モジュール５が占める割合を大きく確保することもできるので、濾過能力の向上を図ることも可能となる。
【００１９】
その一方で、このように濾過槽１が平面視に矩形状に形成されるのに伴い、上記濾過装置では、その底部に堆積した汚泥Ｍを掻き寄せて排出する汚泥掻寄手段７として、この矩形の辺に沿った移動方向Ｆに移動可能とされてそのスクレーパ２５により汚泥Ｍを掻き寄せる水中台車２３が用いられており、この水中台車２３のスクレーパ２５が移動する距離は該スクレーパ２５の長手方向で変わることがないので、スクレーパ２５が部分的に多くの汚泥Ｍを掻き寄せたりして汚泥Ｍが巻き上げられることにより濾過効率が損なわれたりするようなこともなく、濾過槽１の底部に堆積した汚泥Ｍを満遍なく均一に掻き寄せることができ、かつこうして掻き寄せられた汚泥Ｍを確実に排出することが可能となる。従って、上記構成の濾過装置によれば、フロック槽３から濾過槽１に導入された原水Ｗからフロック化した汚泥Ｍを確実に分離することができ、またこうして汚泥Ｍが分離された原水Ｗを濾過モジュール５によって上述のように高い濾過能力で濾過することができるので、原水Ｗを効率的に濾過することが可能となってその処理能力の向上を図ることができる。
【００２０】
また、このような濾過装置は、汚泥掻寄手段７については、濾過槽１の底部にレール２２を敷設するとともにワイヤロープ２６を張り渡して水中台車２３を移動可能に設置することにより、また濾過モジュール５や散気手段６についても、濾過槽１の壁面間にアングル材を張り渡したり、場合によっては濾過槽１の上部から吊り下げ式としたりすることにより、いずれも容易に配設可能であり、例えば底部に排泥ピット等の汚泥排出口を備えた平面視矩形状の濾過槽ならば、既設の沈殿池等にも構造物を改造することなく適用可能である。さらに、本実施形態では、平面視長方形状をなす濾過槽１の長辺が延びる方向が上記汚泥掻寄手段７の移動方向Ｆとされており、従ってスクレーパ２５の長さが同じならば少ない水中台車２３によって濾過槽１底部全面の汚泥Ｍの掻き寄せが可能となり、より効率的である。ただし、例えば上記排水ピット１５が平面視長方形の濾過槽１の長辺側に設けられた沈殿池に本発明を適用する場合などには、汚泥掻寄手段７が上記長方形の短辺方向を移動方向Ｆとして移動可能とされていても構わない。
【００２１】
また、本実施形態では、上記汚泥掻寄手段７としての水中台車２３が上記移動方向Ｆに往復移動可能とされており、例えば濾過槽１の底部に上記移動方向Ｆに亙って無端状にチェーンを架け渡してこのチェーンに汚泥掻寄手段としてスクレーパを取り付け、このチェーンを一の周方向に周回させることによってスクレーパを周回移動させて汚泥を掻き寄せたりする場合等に比べ、汚泥掻寄手段７を移動させるための構造とメンテナンスの簡略化や駆動力の軽減を図ることができ、特に上述のように既設の沈殿池等に適用する場合に容易であるという利点を得ている。そして、さらに本実施形態では、こうして汚泥掻寄手段７を往復移動させるに際し、水中台車２３が排泥ピット１５の設けられた濾過槽１の上記一端側に向けてこの往復の一方向に移動するときのみにスクレーパ２５が降りて汚泥Ｍが掻き寄せられ、水中台車２３が他方向に移動するときにはスクレーパ２５が引き上げられて掻き寄せが行われないようにされているので、水中台車２３が他方向に戻るときにスクレーパ２５によって汚泥Ｍが巻き上げられてしまうのを防ぐことができ、汚泥Ｍの円滑な排出を図りつつも、より効率的な濾過を促すことが可能となる。
【００２２】
さらにまた、本実施形態では、濾過モジュール５を散気して洗浄する散気手段６が上記汚泥掻寄手段７（水中台車２３）の移動方向Ｆに沿って複数の区画に区分されて、個々の区画ごとに空気Ａが噴出されてエアスクラビングにより濾過モジュール５が洗浄可能とされるとともに、上述のように往復移動する汚泥掻寄手段７の移動方向Ｆの位置が、上記検出手段によって少なくとも移動方向Ｆにいずれの区画に位置しているかが検出可能とされており、上記散気手段６によって濾過モジュール５を洗浄する際には、汚泥掻寄手段７が上記一方向に移動して汚泥Ｍを掻き寄せた後の上方の区画ごとに上記散気手段６から散気されて濾過モジュール５が洗浄されるようになされている。従って、各区画の散気手段６から空気が噴出されて濾過モジュール５が洗浄される際には、その直下の濾過槽１底部の汚泥Ｍは汚泥掻寄手段７によって既に掻き寄せ済みとなっているので、こうして噴出される空気Ａによって汚泥Ｍが巻き上げられることにより濾過モジュール５の洗浄効果が却って損なわれてしまうような事態を防止することができる。
【００２３】
一方、本実施形態においては、濾過処理が施される原水Ｗが、濾過槽１の壁面１３に形成された導入孔１４から該濾過槽１に導入されるようになされており、上述のように濾過槽１における原水Ｗの水位をこの導入孔１４よりも高くなるようにすることにより、原水Ｗはフロック槽３からオーバーフローしたりすることなく該導入孔１４から横向きに濾過槽１内に流入させられることとなる。このため、本実施形態によれば、こうして濾過槽１内に流入する原水Ｗによって濾過槽１の底部に堆積した汚泥Ｍが撹拌されたり分散したりすることがなく、また原水Ｗがオーバーフローして濾過槽１に導入される場合のように原水Ｗ中のフロックが濾過槽１の上部に滞留したりすることもなく、濾過槽１の上部においては比較的清澄な原水Ｗを保持することができて、濾過モジュール５による原水Ｗの濾過効率を一層向上させることが可能となる。しかも、この導入孔１４は、汚泥Ｗが掻き寄せられて排出される排泥ピット１５が設けられた濾過槽１の上記一端側の壁面１３に形成されており、従ってこの導入孔１４から導入された原水Ｗ中のフロックは、速やかに沈降してその下方の排泥ピット１５に収容され、排出されることとなるので、一層効率的である。
【００２４】
さらにまた、本実施形態では、上記濾過モジュール５に膜濾過水管１９を介して吸引ポンプ２０が接続されており、濾過モジュール５によって原水Ｗから濾過された濾過水Ｔは、この吸引ポンプ２０によって吸引されて上記濾過水槽４に排出されるようになされている。このため、濾過槽１内における原水Ｗの水位に変動が生じたりしても、例えば重力式やサイフォン式で濾過水を排出するような場合に比べて濾過モジュール５における濾過効率や濾過水Ｔの排出性が損なわれたりすることがなく、安定した濾過を促すことが可能となる。また、こうして吸引ポンプ２０によって濾過水Ｔを吸引して排出することにより、本実施形態によれば、重力式の場合のように膜濾過水管を配設するのに濾過槽の壁面を貫通させたり、サイフォン式の場合のように濾過水槽の高さや位置が制限を受けたりすることもないので、上述のように既設の沈殿池に本発明を適用する場合等において、特に効果的である。
【００２５】
さらに、本実施形態では、上記濾過槽１に凝集槽２とフロック槽３とが付設されていて、濾過槽１に導入される原水Ｗがまず凝集槽２で凝集剤Ｌと混和された後、フロック槽３でフロックの形成が促進された上で濾過槽１に導入されるようになされており、これにより濾過槽１において汚泥Ｍの速やかな沈降を促して、一層効率的な濾過を図ることができる。しかも、凝集槽２ではフラッシュミキサ１１によって原水Ｗと凝集剤Ｌとが急速撹拌されて速やかに混和される一方、フロック槽３ではフロキュレータ１２による緩速撹拌により、形成されたフロックを分散させたりすることなく濾過槽１に導入することが可能となるので、この濾過槽１において一層速やかに汚泥Ｍを原水Ｗから沈降させてその分離を促すことができる。
【００２６】
【発明の効果】
以上説明したように、本発明によれば、濾過槽を平面視に矩形状とすることにより、この濾過槽内に濾過モジュールを均一に配設することが可能となって、濾過の際の負荷や散気手段による洗浄効果の均一化を図ることができ、これによって効率的な濾過を促すことができるとともに、こうして平面視矩形状とされた濾過槽の底部に、この矩形の辺に沿った移動方向に移動可能に汚泥掻寄手段を設けることで、該濾過槽底部に堆積する汚泥を満遍なく均一に掻き寄せて確実に排出することが可能となる。また、この汚泥掻寄手段を上記移動方向に往復移動可能として、その一方向に移動するときのみ汚泥を掻き寄せ可能としたり、散気手段をこの移動方向に沿って複数の区画に区分して、汚泥掻寄手段が移動して汚泥を掻き寄せた後の上方の区画ごとに濾過モジュールを散気して洗浄可能としたり、原水を濾過槽の壁面に設けられた導入孔から該濾過層内に導入したりすることにより、濾過槽底部に堆積した汚泥を巻き上げたりすることなく、濾過モジュールにおいて一層効率的な濾過を図ることができる。さらに、この濾過モジュールにおいて濾過された濾過水を吸引ポンプによって吸引して排出するようにすれば、濾過槽内に保持される原水の水位等によって濾過効率や濾過水の排出性が変動するのを防いで安定した濾過を促すことができるとともに、既設の沈殿池等にも本発明を容易に適用することが可能となる。さらにまた、濾過槽に凝集槽とフロック槽とを付設して、凝集槽で凝集剤と混和した原水をフロック槽を介して濾過槽に導入するようにすれば、濾過槽において一層速やかに汚泥を沈降させることが可能となって、さらに効率的な原水の濾過を促すことができる。
【図面の簡単な説明】
【図１】本発明の一実施形態を示す図である。
【符号の説明】
１  濾過槽
２  凝集槽
３  フロック槽
４  濾過水槽
５  濾過モジュール
６  散気手段
７  汚泥掻寄手段
１３  濾過槽１の壁面
１４  導入孔
１５  排泥ピット
２０  吸引ポンプ
２３  水中台車
２５  スクレーパ
Ｗ  原水
Ｔ  濾過水
Ｍ  汚泥
Ｆ  汚泥掻寄手段７（水中台車２３）の移動方向
【図１】
2004202373.tif 000003